(57)【要約】      （修正有）【課題】記録媒体１、２に対して、及び／又は、記録媒体から読み出し及び／又は該媒体へ書き込む装置３、４に対して、メタデータ項目５を自動的に伝達し且記録する。【解決手段】伝達プロパティを有するメタデータ項目５を提供するステップを有し、該伝達プロパティは、その記録媒体１、２に対して及び／又はその装置３、４に対して規定し、メタデータ項目５は伝達され、その記録媒体１、２に及び／又はその装置３、４にメタデータ項目５が記録され、少なくとも、記録媒体１、２が装置３、４へ挿入され又は該装置から取り除かれたとき、又は装置が電源投入又は電源断されたとき、伝達プロパティに従ってメタデータ項目５を自動的に伝達し且つ記録するステップを有する。【選択図】      図５
2004252933.tif 000002
【特許請求の範囲】
【請求項１】
記録媒体（１、２）に対して、及び／又は記録媒体から読み出し及び／又は該媒体へ書き込む装置（３、４）に対して、メタデータ項目（５）の分散を制御する方法において、
伝達プロパティ（６）を有する前記メタデータ項目（５）を提供するステップを有し、該伝達プロパティ（６）は、どの記録媒体（１、２）に及び／又はどの装置（３、４）に前記メタデータ項目（５）を伝達するか、並びに、どの記録媒体（１、２）に及び／又はどの装置（３、４）に前記メタデータ項目（５）を記録するかを規定し、
少なくとも、記録媒体（１、２）が装置（３、４）へ挿入され又は該装置から取り除かれたとき、又は前記装置が電源投入又は電源断されたとき、前記伝達プロパティ（６）に従って前記メタデータ項目（５）を自動的に伝達し且つ記録するステップを有することを特徴とする方法。
【請求項２】
前記伝達プロパティ（６）は、複数の予め規定された値の１つ以上を仮定することを特徴とする請求項１に記載の方法。
【請求項３】
記録媒体（１、２）に対して、及び／又は記録媒体から読み出し及び／又は該媒体へ書き込む装置（３、４）に対して、メタデータ項目（５）の分散を制御する方法において、
第１又は第２の値を仮定する伝達プロパティ（６）を有する前記メタデータ項目（５）を提供するステップと、
前記メタデータ項目（５）がそれぞれの他の位置（１、２、３、４）にまだ存在していない限り、少なくとも、前記記録媒体（１、２）が前記装置（３、４）へ挿入され又は該装置から取り除かれたとき、又は前記装置（３、４）が電源投入又は電源断されたとき、装置（３、４）から記録媒体（１、２）へ及びその逆に、前記第１の伝達プロパティの値を有するこのようなメタデータ項目（５）のコピーを自動的に伝達するステップと
を有することを特徴とする方法。
【請求項４】
前記メタデータ項目（５）の伝達されたコピーの前記伝達プロパティ（６）を、前記第２の伝達プロパティの値に変更するステップを更に含むことを特徴とする請求項３に記載の方法。
【請求項５】
少なくとも装置（３、４）に電源投入されたとき、該装置（３、４）の第２のメモリ（３１、４１）に又はこれらメタデータ項目（５）の縮小版にアクセス可能な全てのメタデータ項目（５）と、少なくともこのような記録媒体が前記装置（３、４）に挿入されるときはいつでも、記録媒体（１、２）にアクセス可能な全てのメタデータ項目とを、記録媒体から読み出し及び／又は該媒体へ書き込む前記装置（３、４）の第１のメモリ（３２、４２）に一時的に記憶するステップを更に有することを特徴とする請求項１から４のいずれか１項に記載の方法。
【請求項６】
ネットワークから追加メタデータ項目（５）を検索するステップと、該追加メタデータ項目（５）又はそれらの縮小版を前記装置（３、４）に少なくとも一時的に記憶するステップとを更に有することを特徴とする請求項１から５のいずれか１項に記載の方法。
【請求項７】
記憶装置における前記メタデータ項目（５）又はそれらの縮小版に位置識別子（８）を追加するステップを更に有し、前記位置識別子（８）は、どの記憶位置に、メタデータ項目（５）又はそれらの縮小版の伝達プロパティ（６）が適用されるかを指示することを特徴とする請求項５又は６に記載に方法。
【請求項８】
記憶されたメタデータ項目（５）の前記伝達プロパティ（６）を変更するステップを更に有することを特徴とする請求項５から７のいずれか１項に記載の方法。
【請求項９】
少なくとも前記記録媒体（１、２）が前記装置（３、４）から取り除かれたとき、前記装置（３、４）の第１のメモリ（３２、４２）から記録媒体（１、２）へ、前記伝達プロパティ（６）及び位置識別子（８）に従って、前記メタデータ項目（５）をライトバックするステップ、及び／又は、
少なくとも前記装置（３、４）が電源断されたとき、前記伝達プロパティ（６）及び位置識別子（８）に従って、前記装置（３、４）の前記第１のメモリ（３２、４２）から前記装置（３、４）の第２のメモリ（３１、４１）へ、前記メタデータ項目（５）を移動させるステップ
を有することを特徴とする請求項５から８のいずれか１項に記載の方法。
【請求項１０】
前記装置（３、４）に記憶されたメタデータ項目（５）をネットワークへ送信するステップを更に有することを特徴とする請求項９に記載の方法。
【請求項１１】
前記記録媒体（１、２）に前記メタデータ項目（５）を書き込むステップ、前記第２のメモリ（３１、４１）へ前記メタデータ項目（５）を移動させるステップ、及び／又は、前記ネットワークにメタデータ項目（５）を送信するステップは、前記第２のメモリ（３１、４１）及び／又はネットワークのそれぞれに、前記記録媒体（１，２）に存在する前記メタデータ項目（５）を上書きすることからなることを特徴とする請求項９又は１０に記載の方法。
【請求項１２】
前記メタデータ項目（５）の伝達を限定する有効期限プロパティを有する前記メタデータ項目（５）を提供するステップを更に含むことを特徴とする請求項１から１１のいずれか１項に記載の方法。
【請求項１３】
前記記録媒体（１、２）、記録媒体から読み出し及び／又は該媒体へ書き込む前記装置（３、４）、及び／又は、前記伝達及び／又はメタデータ項目（５）の変更を防止する保護プロパティ（７）を有する前記メタデータ項目（５）又はそれらの縮小版を、提供するステップを更に含むことを特徴とする請求項１から１２のいずれか１項に記載の方法。
【請求項１４】
前記保護プロパティ（７）は、前記記録媒体（１、２）及び／又は記録媒体からの読み出し及び／又は該媒体への書き込む装置（３、４）から／へ、前記メタデータ項目（５）又はそれらの縮小版の、エクスポートに対する保護、インポートに対する保護、又は、エクスポート及びインポートの両方に対する保護を提供することを特徴とする請求項１３に記載の方法。
【請求項１５】
請求項１から１４のいずれか１項に記載の方法を行う手段を含むことを特徴とする記録媒体から読み出し及び／又は該媒体へ書き込む装置（３、４）。
【請求項１６】
請求項１から１４のいずれか１項に記載の方法を行う伝達プロパティ（６）を有するメタデータ項目（５）を含むことを特徴とする記録媒体（１、２）。
【請求項１７】
請求項１から１４のいずれか１項に記載の方法を行う伝達プロパティ（６）を有するメタデータ項目（５）を含むことを特徴とするデータストリーム。
【発明の詳細な説明】
【０００１】
【発明の属する技術分野】
本発明は、記録媒体に対して、及び／又は記録媒体から読み出し及び／又は該媒体へ書き込む装置に対して、メタデータ項目の伝達を制御する方法と、その方法を行う装置及び記憶媒体とに関する。
【０００２】
【従来の技術】
家庭娯楽の将来は、２つの重要な発展によって特徴付けられることとなる。第１の発展は、拡大するメタデータ項目の量を利用可能とすることである。メタデータ項目が、マルチメディアオブジェクト、記録媒体及び家電装置に関する全ての種類の追加データを含むことである。第２の発展は、家電装置が、装置間の通信及びデータ交換を可能とするネットワークに益々接続されることである。
【０００３】
【発明が解決しようとする課題】
取り外し可能な記録媒体と、ネットワークに接続された家電装置との環境においてメタデータ項目を取り扱うとき、重要な見解は、どのようにしてメタデータ項目が、含まれた装置及び／又は記録媒体の間を伝達するかである。公知のメタデータ方式は、メタデータ伝達について想定していない。メタデータの伝達に対するそれらアプローチは、完全に静的なものである。いずれのメタデータ項目の伝達も、利用者によって明らかに起動されなければならない。しかしながら、特定のメタデータ項目を、制御される方法で自動的に伝達できるならば、非常に効率的で且つユーザフレンドリになる。１つの種類のメタデータ項目に対する適切な伝達の振る舞いは、異なる種類のメタデータ項目に対して不適切となるかもしれないために、この目的のための直接的な解決策は利用できない。
【０００４】
それゆえ、本発明の目的は、記録媒体に対して、及び記録媒体からの読み出し及び／又は該媒体への書き込む装置に対して、メタデータ項目の自動伝達を有効且つ制御する方法を提案することである。
【０００５】
【課題を解決するための手段】
本発明の第１の見解による方法は、
伝達プロパティを有するメタデータ項目を提供するステップを有し、該伝達プロパティは、どの記録媒体に及び／又はどの装置にメタデータ項目を伝達するか、並びに、どの記録媒体に及び／又はどの装置にメタデータ項目を記録するかを規定し、
少なくとも、記録媒体が装置へ挿入され又は該装置から取り除かれたとき、又は装置が電源投入又は電源断されたとき、伝達プロパティに従ってメタデータ項目を自動的に伝達し且つ記録するステップを有する。用語「挿入される」及び「取り除く」は記載全体に渡って用いられているけれども、本発明は、記録媒体と装置との間でいずれの形態による接触においても適用でき、非接触技術を含んで、データ交換を可能とする。伝達プロパティを各メタデータ項目に加えることによって、いずれの所与のメタデータ方式も、自動的なメタデータ伝達を可能にするために増すことができる。伝達プロパティは、例えば、所定の寸法のフラグベクトルとして実現できる。記録媒体が装置に挿入されたとき、又は装置に電源投入されたとき、メタデータ項目の自動的な伝達及び記憶は、装置及び記憶媒体の両方が、更にいずれかの動作が起動される前に、全ての必要なメタデータ項目を提供することを保証する。記録媒体が装置から取り除かれたとき、又は装置が電源断されたとき、メタデータ項目を自動的に伝達することは、記録媒体及び装置が最近のメタデータ項目を提供する、即ち、メタデータ項目からなる変更がない、ことを保証する。一般的なアプローチにおいて、一方の「装置状態」から他方の装置状態へ、例えば、「オフ」から「オン」へ、又は「読み込まれた記録媒体」から「読み込まれていない記録媒体」へ、移行が発生するとき、メタデータ項目が自動的に伝達される。前述の装置状態と共に、多くの他の装置状態を用いることができる。
【０００６】
有利な点として、伝達プロパティは、複数の予め規定された値の１つ以上を仮定する。この方法において、メタデータ項目を伝達する種々の方式を認識できる。各メタデータ方式について、「記憶状態」と称される伝達プロパティに対する可能な値のセットが、規定されなければならない。加えて、どのメタデータ項目が、どの位置に及びいつ、コピーされるかを特定しなければならない。これは、規則のセットを規定することによって実行されるのが好ましい。各規則は、１つ以上の前述の記憶状態と、１つ以上の前述の装置状態との特定の組み合わせに関連する。規則は、特定の装置状態に達した場合、特定の記憶状態を有するメタデータ項目で何が行われるかを特定する。
【０００７】
伝達プロパティに対する可能な値は、以下のものを含む。
・全体
・記録媒体のみ
・全記録媒体
・装置のみ
・全装置
・一時的
【０００８】
「全体」メタデータ項目は、いずれかのアクセス可能な記録位置に伝達することを意味し、即ち、記録媒体が常に挿入されているならば記録媒体から全ての装置へ、又は、装置からそれらに常に挿入された全ての記録媒体へ、伝達する。
【０００９】
「記録媒体のみ」メタデータ項目は、装置の起こりうる一時記憶を除いて、それが存在する記録媒体に制限されることを意味する。記録媒体が装置から取り除かれると直ぐに、装置に一時的に記憶されたメタデータ項目のコピーは、更に取り除かれなければならない。
【００１０】
「全装置」メタデータ項目は、記録媒体が常に挿入されているならばメタデータ項目がいずれかの装置に伝達されるという違い以外、「記録媒体のみ」メタデータ項目と同じであり、記録媒体の取り外しの後で常に装置に記憶されて存在する。しかしながら、いずれかのこれら装置から、いずれかの他の記録媒体へ決して伝達されない。
【００１１】
「装置のみ」メタデータ項目は、装置から決して離れないことを意味するが、装置が電源断であっても常に装置内に残存する。メタデータ項目のみの装置は、いずれの記憶媒体にも決して存在しない。
【００１２】
「全記録媒体」メタデータ項目は、メタデータ項目が装置に常に挿入されたいずれの記録媒体にも伝達するという違い以外、「装置のみ」メタデータ項目と同様に振る舞う。しかしながら、メタデータ項目は、一時記憶を除いて、いずれかのこれら記憶媒体から、いずれかの他の装置へ、決して伝達しない。
【００１３】
「一時」メタデータ項目は、装置内にのみ存在でき、それは決して離れない。一時メタデータ項目は、装置の電源断の後で存在して終わる。それらは、例えば、メタデータ項目の操作中に有用となり得る。
【００１４】
伝達プロパティに対して前述で規定された値は、メタデータ項目の制御伝達について十分であるけれども、勿論、更なる値を用いることもできる。
【００１５】
本発明の第２の見解による方法は、
第１又は第２の値を仮定する伝達プロパティを有するメタデータ項目を提供するステップと、
メタデータ項目（５）がそれぞれの他の位置（１、２、３、４）にまだ存在していない限り、少なくとも、記録媒体が装置へ挿入され又は該装置から取り除かれたとき、又は装置が電源投入又は電源断されたとき、装置から記録媒体へ及びその逆に、第１の伝達プロパティの値を有するこのようなメタデータ項目のコピーを自動的に伝達するステップとを有する。２つの伝達プロパティの値のみを用いることによって、透過伝達方式が達成される。メタデータ項目は、どの装置又はどの記録媒体にメタデータ項目を伝達すべきかの更なる区別を必要とせずに、伝達し又は伝達されないこととなる。その後、第１及び第２の伝達プロパティの値は、「能動的」及び「受動的」としてそれぞれ指示される。伝達プロパティは、例えばフラグとして実現することができる。それぞれの他の位置に未だ同様に存在しないそれらメタデータ項目のみに対する自動的な伝達を制限することによって、伝達の処理がいずれかの存在する伝達プロパティにとって代わらないことが保証される。同じメタデータ項目が存在するか否かは、例えばメタデータ項目に関連する独自の識別子と比較することによって、確認され得る。
【００１６】
その方法は、視覚化する装置に対して及び効果を理解する利用者に対して容易となり、異なる伝達プロパティは、記録媒体に及び装置にメタデータ項目の不揮発性及び揮発性記憶に有するという効果を有する。
【００１７】
有利な点として、その方法は、メタデータ項目の伝達されたコピーの伝達プロパティを、第２の伝達プロパティの値に変更するステップを更に含む。「受動的」に伝達プロパティを変更することによって、伝達の処理は、再帰的とならず、１つの二重ステップの後で停止する。メタデータ項目の所望されない拡がりを避ける更なる提供が必要とならない。「能動的」メタデータ項目のコピーは、常に「受動的」である。
【００１８】
好ましくは、本発明による方法は、少なくとも装置に電源投入されたとき、装置の第２のメモリに又はこれらメタデータ項目の縮小版にアクセス可能な全てのメタデータ項目と、少なくともこのような記録媒体が装置に挿入されるときはいつでも、記録媒体にアクセス可能な全てのメタデータ項目とを、記録媒体から読み出し及び／又は該媒体へ書き込む装置の第１のメモリに一時的に記憶するステップを更に有する。この方法において、動作中、全てのアクセス可能なメタデータ項目は、第１のメモリに記憶される。それゆえ、第１のメモリは、装置と、それらに挿入された全ての記録媒体とから、メタデータ項目の全体を常に含む。第１のメモリは、実際に、全ての挿入された記録媒体及び第２のメモリをエミュレートする。これは、容易な操作と、取り扱いと、メタデータ項目の再分類とを可能にする。好ましくは、第１及び第２のメモリは、揮発性メモリ及び不揮発性メモリそれぞれである。しかしながら、第１のメモリは、揮発性メモリとして実現することもできる。通常、揮発性メモリに記憶されたメタデータ項目は、不揮発性メモリに記憶されたものよりもより早くアクセスすることができる。メタデータ項目の縮小版のみが揮発性メモリに記憶されるならば、それらは素早くアクセスされ得る。これに対して、縮小版に含まれないメタデータ項目のそれら部分に対するいずれかのアクセスは、不揮発性メモリに保持される全サイズメタデータ項目に、追加的に且つ潜在的にゆっくりとしたアクセスを必要とする。メタデータ項目のどの部分が縮小版に含まれるかを適切に特定することによって、アクセス速度とメモリ使用との間の折衷案は、いずれの所与の用途に対しても最適化され得る。例えば、「作成日」「作成者」「最終アクセス」等のような情報は、揮発性メモリに記憶する必要性を必要としない。以下のように、「メタデータ項目」のいずれかの前述したものは、常に、全サイズメタデータ項目のみならず、メタデータ項目の縮小版の場合を含むように理解される。
【００１９】
本発明の洗練された更なる有利な点によれば、この方法は、ネットワークから追加メタデータ項目を検索するステップと、装置にこれらメタデータ項目を少なくとも一時的に記憶するステップとを更に有する。この方法において、更に有用なメタデータ項目を、ネットワークの他の装置から得ることができる。用語「ネットワーク」は、有線及び無線接続を含む、装置間のデータ交換を可能とする方法で接続された多数の装置を意味する。
【００２０】
有利な点として、その方法は、記憶装置におけるメタデータ項目又はそれらの縮小版に位置識別子を追加するステップを更に有し、位置識別子は、どの記憶位置に、メタデータ項目又はそれらの縮小版の伝達プロパティが適用されるかを指示する。本発明の第１の見解による方法を検討すると、第１のメモリに記憶された「記録媒体のみ」メタデータ項目及び「全装置」メタデータ項目は、入れる記録媒体に一貫してライトバックされなければならない。更に、「全記録媒体」メタデータ項目について、装置内に存在するもの（それらを持続し、いずれかの挿入された記録媒体に書き込まれる）と、異なる装置によって予め書き込まれているかどうかを、挿入された記録媒体の１つに見つけるために第１のメモリに一時的に記憶されたものとの間で、区別することが必要となる。複数の記録媒体を保持することが可能な装置において、挿入された記録媒体のどちらから各メタデータ項目が来たかを知るには、一貫的なライトバックは危険である。
【００２１】
本発明の第２の見解による方法を検討すると、装置の第１のメモリにおいて、メタデータ項目のいくつかのコピーは、異なる位置から来て存在し、異なる伝達プロパティを有する。例えば、第１の記録媒体からの「能動的」メタデータ項目は、装置の第１のメモリに、「受動的」メタデータ項目としてコピーされる。即ち、伝達プロパティ「受動的」及び位置識別子「装置」を有する。加えて、同じメタデータ項目の更なるコピーは、伝達プロパティ「能動的」及び位置識別子「媒体１」を有する第１のメモリに存在する。更なる記録媒体から来る他のコピーも存在してもよい。異なる記録媒体から、入れる第１のメモリに記憶されたメタデータ項目は、入れる記録媒体に一貫してライトバックされなければならない。同時に、正しい伝達プロパティが保存されければならない。記録においてメタデータ項目に位置識別子を加えることによって、前述の問題の全てが容易に解決される。
【００２２】
好ましくは、本発明による方法は、記憶されたメタデータ項目の伝達プロパティを変更するステップを更に有する。この伝達プロパティの修正は、自動的に行われるか又は利用者の関与によるかのいずれか一方によってできる。この方法において、更に、メタデータ項目の伝達の振る舞いを管理する可能性が提供される。
【００２３】
本発明によれば、その方法は、少なくとも記録媒体が装置から取り除かれたとき、装置の第１のメモリから記録媒体へ、又は、少なくとも装置が電源断されたとき、装置の第１のメモリから装置の第２のメモリへ、伝達プロパティ及び位置識別子に従って、メタデータ項目をライトバックするステップを更に有する。メタデータ項目の前述された縮小版をメモリ内で取り扱うとき、システムを出るときメタデータ項目の部分を失わないように、このライトバックは、全サイズのメタデータ項目を参照し且つ出力するステップを包含することが理解されなければならない。ライトバックのステップは、全てのメタデータ項目がそれら伝達プロパティによって指示された位置に書き込まれることを保証し、記録媒体及び装置の両方が、メタデータ項目になされた変化の場合に、最近のメタデータ項目を提供することを保証する。
【００２４】
本発明の洗練された更に有利な点によれば、その方法は、装置に記憶されたメタデータ項目をネットワークへ送信するステップを更に有する。これは、ネットワークの他の装置へ、有用なメタデータ項目を提供することを可能にする。
【００２５】
好ましくは、記録媒体にメタデータ項目を書き込むステップ、第２のメモリへメタデータ項目を移動させるステップ、及び／又は、ネットワークにメタデータ項目を送信するステップは、第２のメモリ及び／又はネットワークのそれぞれに、記録媒体に存在するメタデータ項目を上書きすることからなる。これは、第１のメモリの外部で全てのメタデータ項目が、限定的な伝達プロパティを有することを保証し、メタデータ項目が併合されたならば、その場合はない。装置の第１のメモリの内部だけに、同じメタデータ項目、即ち、同じメタデータ本体を有するメタデータ項目は、伝達プロパティに対して異なる値で存在してもよい。それゆえ、メタデータ項目のデータ構造は、２以上の伝達プロパティを保持することを認めなければならない。
【００２６】
有利な点として、本発明による方法は、メタデータ項目の伝達を限定する有効期限プロパティを有するメタデータ項目を提供するステップを更に有する。この有効期限プロパティは、例えば時間制限、伝達ステップ又はいずれかの他のプロパティの数の制限にすることができ、妨げ又は他の限定伝達であってもよい。このような有効期限プロパティは、「全体」メタデータ項目の場合に特に重要となり、「ウイルス類似」の性質を作り出すことができる。
【００２７】
好ましくは、その方法は、記録媒体、記録媒体から読み出し及び／又は該媒体へ書き込む装置、及び／又は、伝達及び／又はメタデータ項目の変更を防止する保護プロパティを有するメタデータ項目又はそれらの縮小版を、提供するステップを更に含む。伝達プロパティは、保護プロパティにとって代わることを意味し、即ち、伝達プロパティによって要求されたようないずれのコピー動作も、含まれる記録媒体、装置及び／又はメタデータ項目の保護プロパティが可能である限りにおいてのみ、行われる。これは、例えば、メタデータ項目の所望されない伝達を妨げることを可能にする。
【００２８】
有利な点として、保護プロパティは、記録媒体及び／又は記録媒体から読み出し及び／又は該媒体へ書き込む装置から／へ、メタデータ項目又はそれらの縮小版の、エクスポートに対する保護、インポートに対する保護、又は、エクスポート及びインポートの両方に対する保護を提供する。この方法において、利用者は、装置又は記録媒体が、他の記録媒体及び／又は装置に対してメタデータ項目を伝達することから、又は、他の記録媒体若しくは装置又はその両方からメタデータ項目を受信することから保護されるかどうかを、効果的に決定でき、容易にすることができる。
【００２９】
本発明によれば、記録媒体から読み出し及び／又は該媒体へ書き込む装置は、本発明の方法を行う手段を含む。このような装置は、メタデータ伝達を制御する非常に有効で且つユーザフレンドリな方法で利用者に提供する。
【００３０】
好ましくは、記録媒体は、本発明による方法を行う伝達プロパティを有するメタデータ項目を含む。このような記録媒体は、進歩性のある方法で最適に支持される。
【００３１】
有利な点として、データストリームは、本発明による方法を行う伝達プロパティを有するメタデータ項目を含む。このデータストリームは、例えば、本発明による装置を含むネットワークを最適にする。
【００３２】
本発明の理解をよりよくするために、模範的な実施形態が、図面を参照して、有利な構成の以下の説明の中で特定される。本発明は、これら模範的な実施形態に限定するものではなく、本発明の見解から離れることなく、効果的に組み合わされ及び／又は修正され得ることが理解できる。
【００３３】
【発明の実施の形態】
図１は、本発明によるメタデータ伝達方式を表す。ここには、第１の記録媒体１と、記録媒体から読み出し及び／又は該媒体へ書き込む第１の装置３及び第２の装置４との間と、第１の装置３と第２の記録媒体２との間とにおけるメタデータ項目の伝達が描かれている。「記録媒体のみ」及び「装置のみ」メタデータ項目の場合、実際の伝達が、装置３及び４と記録媒体１及び２との間で発生しないために、その図は、「全体」（実線）、「全記録媒体」（短い破線）及び「全装置」（点破線）メタデータに限定されている。「全体」メタデータ項目は、記録媒体１及び２か、又は、記録媒体から読み出し及び／又は該媒体に書き込む装置３及び４のいずれか一方に存在することができる。記録媒体１及び２に存在する場合、記録媒体１及び２が挿入されると、いずれかの装置３及び４に伝達する。そして、メタデータ項目は、装置３及び４から、将来的にそれらに挿入されるいずれかの記録媒体１及び２へ伝達することとなる。「全体」メタデータ項目が装置３又は４のどちらか一方に存在する場合、それらに挿入された記録媒体１及び２へ最初に伝達し、記録媒体１及び２が挿入されると、記録媒体１及び２からいずれかの更なる装置３及び４へ伝達するように連続する。
【００３４】
「全記録媒体」メタデータ項目は、記録媒体から読み出し及び／又は該媒体へ書き込む装置３及び４から、それらに挿入された記録媒体１及び２へのみ伝達することができる。それは記録媒体１及び２に記録されるが、「全体」メタデータ項目と反対となり、記録媒体１及び２から他の装置３及び４へ伝達するように連続しない。
【００３５】
「全装置」メタデータ項目は、記録媒体１及び２から、読み出し及び／又は該媒体へ書き込む装置３及び４へのみ伝達することができる。記録媒体１及び２が挿入されると、いずれかの装置３及び４に記憶されるが、装置３及び４からいずれかの他の記録媒体１及び２へは伝達しない。
【００３６】
図２は、装置状態遷移の方式を用いるメタデータ項目の伝達を表す。ここには、３つの主な状態：第１の状態「電源オフ」１０、第２の状態「電源オン、記録媒体未認識」１２及び第３の状態「電源オン、記録媒体認識」１４が描かれている。ここで、「電源オフ」状態１０への遷移は、常に「電源オン、記録媒体未認識」状態１２を介すると仮定する。第１の状態１０から第２の状態１２への遷移は、「電源投入」ステップ１１を介する。それに応じて、第２の状態１２と第１の状態１０との間の遷移は、「電源断」ステップ１６を介する。
【００３７】
第２の状態１２から第３の状態１４への状態遷移は、「記録媒体歓迎」ステップ１３を介して生じる。ステップ１３は、以下の少なくとも２つのケースを含む。
・装置へ挿入された後で、又は、装置の複数のポートの１つに挿入された後における記録媒体の認識。
・装置に物理的に既に備えられており、電源投入の後における記録媒体の認識。
それに応じて、第３の状態１４と第２の状態１２との間の遷移は、「記録媒体送別」ステップ１５を介して生じる。その前に、「記録媒体送別」ステップ１５は、以下の少なくとも２つのケースを含む。
・装置からの記録媒体の取り外しが間近となる前における記録媒体送別
・電源断が間近となる前における、装置に物理的に存在する記録媒体送別
【００３８】
図３は、記録媒体１及び２に、又は記録媒体から読み出し及び／又は該媒体へ書き込む装置３及び４の不揮発性メモリ３１及び４１に存在する、本発明によるメタデータ項目５を表す。メタデータ項目５は、伝達プロパティ６及び保護プロパティ７を含むが、位置識別子を含まない。勿論、必要ならば、位置識別子を含むこともできる。
【００３９】
図４は、記録媒体から読み出し及び／又は該媒体へ書き込む装置３及び４の揮発性メモリ３２及び４２に存在する、本発明によるメタデータ項目５を表す。メタデータ項目５は、伝達プロパティ６及び保護プロパティ７と並んで、位置識別子８を更に含む。これは、同じメタデータ項目のいくつかのコピー５及び９を記憶することを可能とし、同じ揮発性メモリ３２及び４２と一緒に、異なる伝達プロパティ６及び位置識別子８を有する。これは、例えば、伝達プロパティ６のテーブルとそれぞれの位置識別子８とを有する単一メタデータ項目５を記憶することによって、又は、各々が単一伝達プロパティ６及び位置識別子８を有する独立のメタデータ項目５及び９を記憶することによって実現できる。しかしながら、メタデータ項目５のコンテンツに対する変化が一度だけ必要となるために、第１の解決策が好ましい。
【００４０】
図５は、揮発性メモリを用いた異なる伝達プロパティを有するメタデータ項目５のための伝達方式を表す。ここで、第１の記録媒体１及び第２の記録媒体２と、記録媒体から読み出し及び／又は該媒体へ書き込む第１の装置３及び第２の装置４とが、図１と同様に描かれている。装置３及び４の無効部分と無効記録媒体１及び２とには斜線が引かれており、無効とは、それらがメタデータ伝達に利用できない部分であることを意味する。図５ａ）にはメタデータ項目５が表されているけれども、理解しやすいように図５ｂ）〜５ｄ）では省かれている。
【００４１】
最初に、図５は、本発明の第１の見解に従った伝達プロパティを有するメタデータ項目について説明している。
【００４２】
図５ａ）には、第１の記録媒体１に存在する「記録媒体のみ」メタデータ項目５の取り扱いが表されている。記録媒体１が装置３及び４に挿入されているとき、「記録媒体のみ」メタデータ項目５は、揮発性装置メモリ３２及び４２にコピーされる。「記録媒体送別」装置状態遷移において、「記録媒体のみ」メタデータ項目５のコピーが、記録媒体１にライトバックされ、揮発性メモリ３２及び４２から取り除かれる。装置３及び４において、メタデータ項目５のコピーは残存せず、それゆえ「記録媒体のみ」メタデータ項目５は、第２の記録媒体２にも伝達できない。
【００４３】
図５ｂ）には、第１の装置３の不揮発性メモリ３１に存在する「装置のみ」メタデータ項目の取り扱いが描かれている。「電源投入」状態遷移１１において、「装置のみ」メタデータ項目が、不揮発性メモリ３１から揮発性メモリ３２へコピーされる。「電源断」状態遷移において、メタデータ項目は、不揮発性メモリ３１へライトバックされ、揮発性メモリ３２から取り除かれる。「装置のみ」メタデータ項目のコピーは装置３を出ることはない。即ち、コピーが記録媒体１及び２へ書き込まれない。
【００４４】
図５ｃ）は、第１の装置３の不揮発性メモリ３１に存在する「全記録媒体」メタデータ項目の取り扱いを表す。「電源投入」状態遷移において、メタデータ項目のコピーは、揮発性メモリ３２に書き込まれる。「記録媒体送別」状態遷移において、揮発性メモリ３２の「全記録媒体」メタデータ項目の追加コピーが、記録媒体１及び２に書き込まれる。「電源断」状態遷移において、揮発性メモリ３２のメタデータ項目のコピーが取り除かれ、不揮発性メモリ３１へライトバックされる。記録媒体１及び２における「全記録媒体」メタデータ項目のコピーは、記録媒体１及び２が挿入されても、いずれの他の装置にも伝達しない。
【００４５】
第１の記録媒体１に存在する「全装置」メタデータ項目の取り扱いは、図５ｄ）に表されている。「記録媒体歓迎」状態遷移において、「全装置」メタデータ項目のコピーが、揮発性メモリ３２及び４２に書き込まれる。「記録媒体送別」状態遷移が生じたとき、揮発性装置メモリ３２及び４２のメタデータ項目のコピーが、記録媒体１にライトバックされる。「電源断」状態遷移が生じたとき、「全装置」メタデータ項目のコピーが、不揮発性メモリ３１及び４１に書き込まれ、揮発性メモリ３２及び４２から取り除かれる。「全装置」メタデータ項目は、いずれの他の記録媒体にも伝達しない。
【００４６】
図５は、ここで、本発明の第２の見解に従ったメタデータ項目に対して説明される。即ち、メタデータ項目は「能動的」又は「受動的」のどちらか一方となる。
【００４７】
図５ａ）には、第１の記録媒体１に存在する「受動的」メタデータ項目５の取り扱いが表されている。記録媒体１が装置３及び４に挿入されたとき、メタデータ項目５が揮発性装置メモリ３２及び４２に既に存在するかどうかが決定される。これがそのケースでないならば、「受動的」メタデータ項目５は、位置識別子「媒体１」を有する揮発性装置メモリ３２及び４２に「受動的」コピーとしてコピーされる。「記録媒体送別」装置状態遷移１５において、「受動的」メタデータ項目５のコピーは、記録媒体１へライトバックされ、揮発性メモリ３２及び４２から取り除かれる。装置３及び４において、メタデータ項目のコピーが残存せず、それゆえ「受動的」メタデータ項目５が、第２の記録媒体２のどちらにも伝達できない。
【００４８】
図５ｂ）は、第１の装置３の不揮発性メモリ３１に存在する「受動的」メタデータ項目の取り扱いを描いている。「電源投入」状態遷移１１において、「受動的」メタデータ項目は、不揮発性メモリ３１から、位置識別子「装置１」を有する揮発性メモリ３２へ「受動的」コピーとしてコピーされる。「電源断」状態遷移１６において、メタデータ項目が、不揮発性メモリ３１へライトバックされ、揮発性メモリ３２から取り除かれる。「受動的」メタデータ項目のコピーは、装置３から出ることはない。即ち、コピーが記録媒体１及び２へ書き込まれない。
【００４９】
図５ｃ）は、第１の装置３の不揮発性メモリ３１に存在する「能動的」メタデータ項目の取り扱いを表す。「電源投入」状態遷移１１において、メタデータ項目の「能動的」コピーが、位置識別子「装置１」を有する揮発性メモリ３２に書き込まれる。同時に、メタデータ項目が特定の記録媒体１及び２に今だ存在しない場合に、メタデータ項目の「受動的」コピーが、装置に存在するいずれかの記録媒体１及び２に書き込まれる。対応する「受動的」コピーは、それぞれの位置識別子を有する揮発性装置メモリ３２へ書き込まれる。「記録媒体送別」状態遷移１５において、揮発性メモリ３２の「受動的」メタデータ項目のそれぞれのコピーが、記録媒体１及び２へライトバックされ、揮発性メモリ３２から取り除かれる。「電源断」状態遷移１６において、揮発性メモリ３２のメタデータ項目の「能動的」コピーは、取り除かれ、不揮発性メモリ３１へライトバックされる。記録媒体１及び２におけるメタデータ項目の「受動的」コピーは、記録媒体１及び２が挿入されても、いずれの他の装置にも伝達されない。
【００５０】
第１の記録媒体１に存在する「能動的」メタデータ項目の取り扱いは、図５ｄ）に表されている。伝達方式は、第１の装置３のみを参照して説明される。第２の装置４に対する方式は、同一である。「記録媒体歓迎」状態遷移１３において、メタデータ項目の「受動的」コピーは、メタデータ項目が装置３に今だ存在しない場合、位置識別子「装置１」を有する揮発性メモリ３２に書き込まれる。同時に、位置識別子「媒体１」を有するメタデータ項目の「能動的」コピーもまた、揮発性メモリ３２に書き込まれる。「記録媒体送別」状態遷移１５が生じたとき、位置識別子「媒体１」を有する揮発性装置メモリ３２におけるメタデータ項目の「能動的」コピーは、記録媒体１へライトバックされ、揮発性メモリ３２から取り除かれる。「電源断」状態遷移１６が生じたとき、位置識別子「装置１」を有するメタデータ項目の「受動的」コピーは、不揮発性メモリ３１へ書き込まれ、揮発性メモリ３２から取り除かれる。メタデータ項目の「受動的」コピーは、いずれの他の記録媒体２へも伝達しない。
【００５１】
それぞれの原位置へのメタデータ項目のコピーの書き込みは、揮発性装置メモリ３２及び４２内に、メタデータ項目からなる全ての変化が保存されることを保証する。
【図面の簡単な説明】
【図１】本発明の第１の見解によるメタデータ伝達の概念図である。
【図２】装置状態遷移図である。
【図３】本発明によるメタデータ項目の図である。
【図４】２以上の伝達プロパティを有する揮発性メモリ内部のメタデータ項目の図である。
【図５】揮発性メモリを用いた種々の伝達プロパティを有するメタデータ項目のための伝達概念図である。
【符号の説明】
１  第１の記録媒体
２  第２の記録媒体
３  第１の装置
４  第２の装置
３１、４１  不揮発性メモリ
３２、４２  揮発性メモリ
５、９  メタデータ項目
６  伝達プロパティ
７  保護プロパティ
９  位置識別子
１０  「電源オフ」状態
１１  「電源投入」装置状態遷移
１２  「電源オン、記録媒体未認識」状態
１３  「記録媒体歓迎」装置状態遷移
１４  「電源オン、記録媒体認識」状態
１５  「記録媒体送別」装置状態遷移
１６  「電源断」装置状態遷移
【図１】
2004252933.tif 000003
【図２】
2004252933.tif 000004
【図３】
2004252933.tif 000005
【図４】
2004252933.tif 000006
【図５】
2004252933.tif 000007
【外国語明細書】
2004252933.tif 000008
2004252933.tif 000009
2004252933.tif 000010
2004252933.tif 000011
2004252933.tif 000012
2004252933.tif 000013
2004252933.tif 000014
2004252933.tif 000015
2004252933.tif 000016
2004252933.tif 000017
2004252933.tif 000018
2004252933.tif 000019
2004252933.tif 000020
2004252933.tif 000021
2004252933.tif 000022
2004252933.tif 000023
2004252933.tif 000024
2004252933.tif 000025
2004252933.tif 000026
2004252933.tif 000027
2004252933.tif 000028
2004252933.tif 000029
2004252933.tif 000030
2004252933.tif 000031
2004252933.tif 000032
2004252933.tif 000033
2004252933.tif 000034
2004252933.tif 000035
2004252933.tif 000036
2004252933.tif 000037
2004252933.tif 000038
2004252933.tif 000039
2004252933.tif 000040
2004252933.tif 000041